【手続補正書】
【提出日】平成21年6月9日(2009.6.9)
【手続補正１】
【補正対象書類名】特許請求の範囲
【補正対象項目名】全文
【補正方法】変更
【補正の内容】
【特許請求の範囲】
【請求項１】
ワイヤレス装置（１０２）上のネットワークリストのアプリケーションを管理する方法であって、
該方法は、
複数のネットワーク選択制御コード（４０２）を、対応する複数のネットワーク選択基準（４０４）に関連させる第１のデータベース構造（４００Ａ）を提供することであって、該ネットワーク選択基準（４０４）は、該ワイヤレス装置（１０２）に関連するネットワークリスト（３００）において識別されたネットワークに対して、異なる処理オプションを規定し、該ネットワーク選択基準（４０４）は、一つ以上の無線アクセスネットワーク（ＲＡＮ）、一つ以上のコアネットワーク（ＣＮ）または一つ以上のサービスネットワーク（ＳＮ）の種々の一意に識別可能な組み合わせに選択的に適用されるように動作可能であり、該組み合わせは、該ネットワークリストに含まれている、ことと、
対応するネットワーク識別子（４２２）によって識別されるネットワークのリストが配置される第２のデータベース構造（４００Ｂ）を提供することであって、各ネットワーク識別子は、地理的領域識別子と、アクセスネットワーク識別コードおよびコアネットワーク識別コードのうちの少なくとも一つとを含み、該第１のデータベース構造（４００Ａ）において識別される対応するネットワーク選択制御コード（４０２）に関連し、該ネットワーク選択制御コード（４０２）のうちの一つは、禁止ネットワークのリストからネットワークを該ワイヤレス装置のユーザが取り除くことを禁止する選択基準に関連し、該リストは、該ワイヤレス装置のホームネットワークオペレータによって提供される、ことと
を包含する、方法。
【請求項２】
前記第１および第２のデータベース構造（４００Ａ、４００Ｂ）のうちの少なくとも一つは、前記ワイヤレス装置（１０２）に結合されるように動作可能である着脱可能な記憶装置モジュール（２１４）上に格納される、請求項１に記載のワイヤレス装置（１０２）上のネットワークリストのアプリケーションを管理する方法。
【請求項３】
前記第１および第２のデータベース構造（４００Ａ、４００Ｂ）のうちの少なくとも一つは、前記ワイヤレス装置（１０２）内に一体化されるメモリモジュールに格納される、請求項１に記載のワイヤレス装置（１０２）上のネットワークリストのアプリケーションを管理する方法。
【請求項４】
前記第１および第２のデータベース構造（４００Ａ、４００Ｂ）のうちの少なくとも一つは、前記ワイヤレス装置（１０２）に関連する前記ホームネットワークオペレータによってのみ更新されるように動作可能である、請求項１、請求項２、請求項３のいずれか一項に記載のワイヤレス装置（１０２）上のネットワークリストのアプリケーションを管理する方法。
【請求項５】
前記ネットワークリスト（３００）は、ユーザ規定の禁止ネットワークリスト、オペレータ規定の禁止ネットワークリストおよび企業規定の禁止ネットワークリストのうちの少なくとも一つを含む、請求項１、請求項２、請求項３、請求項４のいずれか一項に記載のワイヤレス装置（１０２）上のネットワークリストのアプリケーションを管理する方法。
【請求項６】
ワイヤレス装置（１０２）に関連するネットワークリストのアプリケーションによって変更されるネットワーク選択方法であって、
該方法は、
スキャニング（５０２）を介して、該ワイヤレス装置（１０２）によって発見される少なくとも一つのネットワークに関連するネットワーク識別子を決定すること（５０４）であって、該ネットワーク識別子は、地理的領域識別子と、アクセスネットワーク識別コードおよびコアネットワーク識別コードのうちの少なくとも一つとを含む、ことと、
該ネットワーク識別子に関連する選択制御コードを決定すること（５０６）であって、該選択制御コードは、複数のネットワーク選択制御コード（４０２）から選択される、ことと、
該選択制御コードに依存して、該少なくとも一つのネットワークに関して特定の選択基準を適用すること（５０８）であって、該特定の選択基準は、一つ以上の無線アクセスネットワーク（ＲＡＮ）、一つ以上のコアネットワーク（ＣＮ）または一つ以上のサービスネットワーク（ＳＮ）の種々の一意に識別可能な組み合わせに選択的に適用されるように動作可能な複数のネットワーク選択基準（４０４）から選択され、該組み合わせは、ネットワークリストに含まれており、さらに、該ネットワーク選択制御コード（４０２）のうちの一つは、禁止ネットワークのリストからネットワークを該ワイヤレス装置のユーザが取り除くことを禁止する選択基準に関連し、該リストは、該ワイヤレス装置のホームネットワークオペレータによって提供される、ことと
を包含する、ネットワーク選択方法。
【請求項７】
前記スキャニング（５０２）は、初期スキャン手順およびバックグラウンド手順のうちの一つとして実行される、請求項６に記載のワイヤレス装置（１０２）に関連するネットワークリストのアプリケーションによって変更されるネットワーク選択方法。
【請求項８】
前記ネットワーク識別子に関連する選択制御コードを決定すること（５０６）は、対応するネットワーク識別子によって識別されるネットワークのリストが配置されるデータベース構造（４００Ａ、４００Ｂ）をクエリすることを包含し、各ネットワーク識別子は、特定の選択基準を識別するように動作可能である対応するネットワーク選択制御コードに関連する、請求項６または請求項７に記載のワイヤレス装置（１０２）に関連するネットワークリストのアプリケーションによって変更されるネットワーク選択方法。
【請求項９】
前記ネットワークのリストは、ユーザ規定の禁止ネットワークリスト、オペレータ規定の禁止ネットワークリストおよび企業規定の禁止ネットワークリストのうちの少なくとも一つを含む、請求項８に記載のワイヤレス装置（１０２）に関連するネットワークリストのアプリケーションによって変更されるネットワーク選択方法。
【請求項１０】
ワイヤレス装置（１０２）上のネットワークリストのアプリケーションを管理するシステムであって、
該システムは、
複数のネットワーク選択制御コード（４０２）を、対応する複数のネットワーク選択基準（４０４）に関連させる第１のデータベース構造（４００Ａ）であって、該ネットワーク選択基準（４０４）は、該ワイヤレス装置（１０２）に関連するネットワークリスト（３００）において識別されたネットワークに対して、異なる処理オプションを規定し、該ネットワーク選択基準（４０４）は、一つ以上の無線アクセスネットワーク（ＲＡＮ）、一つ以上のコアネットワーク（ＣＮ）または一つ以上のサービスネットワーク（ＳＮ）の種々の一意に識別可能な組み合わせに選択的に適用されるように動作可能であり、該組み合わせは、該ネットワークリストに含まれている、第１のデータベース構造（４００Ａ）と、
対応するネットワーク識別子（４２２）によって識別されるネットワークのリストが配置される第２のデータベース構造（４００Ｂ）であって、各ネットワーク識別子は、地理的領域識別子と、アクセスネットワーク識別コードおよびコアネットワーク識別コードのうちの少なくとも一つとを含み、該第１のデータベース構造（４００Ａ）において識別される対応するネットワーク選択制御コード（４０２）に関連し、該ネットワーク選択制御コード（４０２）のうちの一つは、禁止ネットワークのリストからネットワークを該ワイヤレス装置のユーザが取り除くことを禁止する選択基準に関連し、該リストは、該ワイヤレス装置のホームネットワークオペレータによって提供される、第２のデータベース構造（４００Ｂ）と
を備える、システム。
【請求項１１】
前記第１および第２のデータベース構造（４００Ａ、４００Ｂ）のうちの少なくとも一つは、前記ワイヤレス装置（１０２）に結合されるように動作可能である着脱可能な記憶装置モジュール（２１４）上に格納される、請求項１０に記載のワイヤレス装置（１０２）上のネットワークリストのアプリケーションを管理するシステム。
【請求項１２】
前記第１および第２のデータベース構造（４００Ａ、４００Ｂ）のうちの少なくとも一つは、前記ワイヤレス装置（１０２）内に一体化されるメモリモジュールに格納される、請求項１０に記載のワイヤレス装置（１０２）上のネットワークリストのアプリケーションを管理するシステム。
【請求項１３】
前記第１および第２のデータベース構造のうちの少なくとも一つは、前記ワイヤレス装置（１０２）に関連する前記ホームネットワークオペレータによってのみ更新されるように動作可能である、請求項１０、請求項１１、請求項１２のいずれか一項に記載のワイヤレス装置（１０２）上のネットワークリストのアプリケーションを管理するシステム。
【請求項１４】
前記ネットワークリスト（３００）は、ユーザ規定の禁止ネットワークリスト、オペレータ規定の禁止ネットワークリストおよび企業規定の禁止ネットワークリストのうちの少なくとも一つを含む、請求項１０、請求項１１、請求項１２、請求項１３のいずれか一項に記載のワイヤレス装置（１０２）上のネットワークリストのアプリケーションを管理するシステム。
【請求項１５】
ワイヤレス装置（１０２）上のネットワークリストのアプリケーションを管理する方法であって、
該方法は、
対応するネットワーク識別子によって識別される禁止ネットワークの少なくとも一つのリストを含むデータベース構造（３００）を提供することであって、各ネットワーク識別子は、地理的領域識別子と、アクセスネットワーク識別子、コアネットワーク識別子およびサービスネットワーク識別子のうちの少なくとも一つとを含み、該禁止ネットワークの少なくとも一つのリストは、第１の無線アクセス技術に対応する少なくとも一つの第１のネットワーク識別子と、第２の無線アクセス技術に対応する少なくとも一つの第２のネットワーク識別子とを含む、ことと、
該禁止ネットワークの少なくとも一つのリストから禁止ネットワークを該ワイヤレス装置のユーザが取り除くことを禁止することと
を包含する、方法。
【請求項１６】
前記禁止ネットワークの少なくとも一つのリストは、オペレータ規定の禁止ネットワークのリストおよび企業規定の禁止ネットワークのリストのうちの少なくとも一つを含む、請求項１５に記載の方法。
【請求項１７】
前記アクセスネットワーク識別子がアクセスネットワーク識別コードであることと、前記コアネットワーク識別子がコアネットワーク識別コードであることと、前記サービスネットワーク識別子がサービスネットワーク識別コードであることとのうちの少なくとも一つである、１５に記載の方法。
【請求項１８】
前記第１の無線アクセス技術は、符号分割多重接続ネットワーク技術であり、前記第２の無線アクセス技術は、グローバル移動体通信システムネットワーク技術である、請求項１５に記載の方法。
【請求項１９】
前記データベース構造（３００）は、前記ワイヤレス装置（１０２）に結合されるように動作可能である着脱可能な記憶装置モジュール（２１４）上に格納される、請求項１５に記載の方法。
【請求項２０】
前記データベース構造（３００）は、前記ワイヤレス装置（１０２）内に一体化されるメモリモジュールに格納される、請求項１５に記載の方法。
【請求項２１】
前記データベース構造（３００）は、前記ワイヤレス装置（１０２）に関連するホームネットワークオペレータによってのみ更新されるように動作可能である、請求項１５〜請求項２０のいずれか一項に記載の方法。
【請求項２２】
ワイヤレス装置（１０２）とともに用いるネットワーク選択方法であって、
該方法は、
スキャニング（５０２）を介して、該ワイヤレス装置（１０２）によって発見される少なくとも一つのネットワークに関連するネットワーク識別子を決定すること（５０４）であって、該ネットワーク識別子は、地理的領域識別子と、アクセスネットワーク識別子、コアネットワーク識別子およびサービスネットワーク識別子のうちの少なくとも一つとを含む、ことと、
該ネットワーク識別子が、対応するネットワーク識別子によって識別される禁止ネットワークのリスト上の禁止ネットワークであるか否かを決定することであって、該禁止ネットワークのリストは、第１の無線アクセス技術に対応する少なくとも一つの第１のネットワーク識別子と、第２の無線アクセス技術に対応する少なくとも一つの第２のネットワーク識別子とを含み、さらに、該ワイヤレス装置のユーザは、該禁止ネットワークの手動選択によって該禁止ネットワークのリストから禁止ネットワークを取り除くことを禁止されている、こと
を包含する、方法。
【請求項２３】
前記禁止ネットワークのリストは、オペレータ規定の禁止ネットワークのリストおよび企業規定の禁止ネットワークのリストのうちの少なくとも一つを含む、請求項２２に記載の方法。
【請求項２４】
前記アクセスネットワーク識別子がアクセスネットワーク識別コードであることと、前記コアネットワーク識別子がコアネットワーク識別コードであることと、前記サービスネットワーク識別子がサービスネットワーク識別コードであることとのうちの少なくとも一つである、２２に記載の方法。
【請求項２５】
前記第１の無線アクセス技術は、符号分割多重接続ネットワーク技術であり、前記第２の無線アクセス技術は、グローバル移動体通信システムネットワーク技術である、請求項２２に記載の方法。
【請求項２６】
前記禁止ネットワークのリストは、前記ワイヤレス装置（１０２）に結合されるように動作可能である着脱可能な記憶装置モジュール（２１４）上に格納される、請求項２２に記載の方法。
【請求項２７】
前記禁止ネットワークのリストは、前記ワイヤレス装置（１０２）に関連するホームネットワークオペレータによってのみ更新されるように動作可能である、請求項２２〜請求項２６のいずれか一項に記載の方法。
【請求項２８】
請求項１５〜請求項２７に記載の方法のいずれかの組み合わせを実行するように構成されるワイヤレス装置（１０２）。